【事件の表示】
　平成　９年特許願第１０７４６１号「光センシングタッチパネル装置」拒絶査定に対する審判事件［平成１０年１１月１３日出願公開、特開平１０−３０３７２２］について、次のとおり審決する。
【結　論】
　本件審判の請求は、成り立たない。
【理　由】
１．手続の経緯・本願発明
　本願は平成９年４月２４日の出願であって、その請求項１、２に係る発明は、平成１２年５月１７日付け手続補正書により補正された明細書及び図面の記載からみて、特許請求の範囲の請求項１、２の各請求項に記載されたとおりのものと認められるところ、その請求項１に係る発明（以下、「本願発明」という。）は、次のとおりである。
　「複数のセンシング窓および表示窓等を有する化粧板をガラス板と赤外線透過フィルタの間に挟んだタッチパネルと、該タッチパネルの下面に設けられ、前記ガラス板に向け赤外線を放射する赤外線発光素子と、前記ガラス板上面に指を近接することにより前記赤外線を乱反射させ、該乱反射した赤外線を受光する赤外線受光素子と、前記赤外線発光素子を収納する内面を赤外線吸収面とした第一の部屋と、該第一の部屋と並置され前記赤外線受光素子を収納する内面を赤外線反射面とした第二の部屋と、所定周期のパルス信号を出力するタイミングパルス発生回路と、前記パルス信号により駆動され、前記赤外線発光素子によりパルス変調された赤外線を放射し、前記赤外線受光素子により前記パルス変調された赤外線の指による乱反射光を前記パルス信号と同期して受光し、該赤外線受光素子から出力された光電信号と基準電圧とを比較し、該基準電圧以上のレベルの前記光電信号を出力するコンパレータと、該コンパレータの出力を常時閉路し該コンパレータから出力した前記光電信号が所定数入力したとき開路するゲートを備えた信号処理回路で構成した光電スイッチ回路と、前記光電信号に基づいて前記センシング窓に対応する情報を前記表示窓に表示する表示部とから構成したことを特徴とする光センシングタッチパネル装置。」
２．引用文献
　　これに対して、原査定の拒絶の理由に引用された、本件出願前公知の特開平７−７４６０９号公報（以下、「引用文献１」という。）には、「【従来の技術】スイス国特許出願公開第６７６１７７号公報に、次の光電式フィンガ操作形キーボード装置が記載・・・該キーボード装置は、文字板を備えた、のぞき窓またはバンクカウンタの合わせガラス板の後に配置されており」（段落番号【０００２】、【０００３】）と、「・・・ガラス製のカバー・・・」（段落番号【００１３】）と、「【産業上の利用分野】本発明は、少なくとも２つの赤外線送光器と、少なくとも２つの赤外線受光器と１つのカバーとを備えた、工業用測定装置に使用すべき光電式フィンガ操作形キーボード装置に関する」（段落番号【０００１】）と、「図１には、本発明の機械的な部分が基礎としているところの解決原理が極めて簡略化されて示されている。光電式キーボード装置の重要な構成部分は、赤外線透過性カバー１、赤外線送光器３、赤外線受光器４および赤外線不透過性シールド５である。この光電式キーボード装置の機能のためにさらに、カバー１の外側１１の近傍に移動可能であってかつ光電式キーボード装置を操作する指２が散乱体として必要である。」（段落番号【００１８】）と、「赤外線送光器３、赤外線受光器４およびシールド５はカバー１の内側に配置され・・・赤外線送光器３のビーム方向は実際にはカバー１の内側１２に対して垂直で・・・赤外線受光器４の光軸は、カバー１でのおよびカバー１内での屈折を考慮して指２の散乱中心２１に向けて配向され・・・赤外線受光器４は、赤外線送光器３に並んで配設されておりかつ赤外線送光器とは赤外線不透過性シールド５によって分離されている。」（段落番号【００１９】〜【００２２】）と記載されている。また、これら赤外線送光器、赤外線受光器に係る作動回路及び作動波形が、第３〜６図に示され、その動作に関しては、「【００２９】
図３の作動回路８は、それぞれの赤外線送光器／赤外線受光器１３／１４，２３／２４，３３／３４を有する３つの光電式キーのそれぞれに対して、固有の制御および検出回路１５，２５，３５を含んでいる。これらは、それぞれの赤外線送光器の給電のために必要な、１：１より小さい、有利には１：１０より小さいオンオフ比を有する電流制御パルスｓｉ１，ｓｉ２，ｓｉ３を発生する。
　　　【００３０】
　電流制御パルスｓｉ１，ｓｉ２，ｓｉ３は、図３に示されているように、それぞれの赤外線送光器１３，２３，３３に直列に接続されているそれぞれの電子スイッチ１６，２６，３６に加えられる。一方、赤外線送光器は通例の電流制限抵抗１７，２７，３７を介して作動電圧源の電圧を導く極Ｕに接続されている。
　　・・・
　　　【００３２】
　制御および検出回路１５，２５，３５はさらにそれぞれ、２進信号ｂｓ１，ｂｓ２，ｂｓ３（図５のｅ参照）を発生する。これら２進信号のその都度のレベルＬは、指２による非操作時に相応しかつその都度別のレベルＨは、操作の際検出時間ｄｔ後にようやく発生する（図５のｅ参照）。
　　・・・・
　　　【００３５】
　図３の作動回路８は、周期的な時間ウィンドウパルスｚｆ（図５のｂ参照）を発生する、すべての光電式キーに共通なスキャニング・サンプル回路１８を含んでいる。時間ウィンドウパルスのオンオフ比は１：１より小さく、有利には１：１０より小さく、かつその持続時間は検出時間ｄｔより大きい。
　　　【００３６】
　時間ウィンドウパルスｚｆは、すべての制御および検出回路１５，２５，３５を作動電圧源の別の極ＳＮに接続する電流スイッチ１９を制御し、したがってこの電流スイッチは周期的に導通ないし非導通状態になる。電流スイッチはその都度の導通状態においてのみ、すべての赤外線送光器１３，２３，３３を閉成するので、この導通状態は、電流制御パルスｓｉ・・・よって生じる、それぞれの電子スイッチ１６，２６，３６の周期的な導通状態にＡＮＤ結合のように重畳される。
　　・・・
　　　【００３８】
　スキャニング・サンプル回路１８はさらに、時間ウィンドウパルスｚｆと同じ周波数のサンプリング信号ｓを発生する（図５のｆ参照）。この信号によって、それぞれの時間ウィンドウｚｆ内で検出時間ｄｔ後に存在する、２進信号ｂｓ・・・の信号レベルＨないしＬから、その都度の操作有効信号ｎ１，ｎ２，ｎ３が形成される。
　　　【００３９】
　このために有利には、図４においてブロック回路図として示されている、図３のスキャニング・サンプル回路の構成が用いられる。矩形波発振器４１は、−電子スイッチ１９の上述の制御に用いる他に−遅延回路４３にも供給される時間ウィンドウパルスｚｆを発生する。遅延回路の遅延時間は、時間ウィンドウパルスｚｆの持続時間より多少短いが、検出時間ｄｔよりは長い。遅延回路４３の出力側には、短い、実際にはニードル状のサンプリングパルスｓが送出される。
　　　【００４０】
　図４のスキャニング・サンプル回路において、さらに３つのＤフリップフロップ４４，４５，４６が設けられている。それらのそれぞれのクロック入力側にはサンプリングパルスｓが供給されかつそれらのそれぞれのＤ入力側には、その都度の２進信号ｂｓ１，ｂｓ２，ｂｓ３が供給される。それからそれぞれのＱ出力側には、その都度の操作信号ｎ１，ｎ２，ｎ３が現れる。・・・
　　　【００４２】
　個々の信号が時間ｔに関して示されている図５の既述の部分図からさらに、これら信号が図面表示上の理由から、個々の信号の相互の上述の時間関係を考慮せずに示されていることおよび図５のｄは、指による操作に相応する仮想の信号を表すものであることがわかる。
　　　【００４３】
　図６には、時間縮尺が図５に比して圧縮して示されており、かつ図５のａに相
応する、電流制御パルスｓｉ・・・有する部分図は省略されている。・・・
　　　【００４４】
　図６のａには、時間ウィンドウパルスｚｆが示されており、図６のｂには、赤外線送光器１３，２３，３３の１つにおける電流パルスｉ…が示されている。図６のｃには、ここでも、操作に相応する仮想の信号の１つが示されておりかつ図６のｄには、２進信号ｂｓ…の１つが示されている。図６のｅには、サンプリング信号ｓが示されておりかつ図６のｆには、操作有効信号ｎ・・・の１つが示されている。図６のｃおよびｆから、操作有効信号ｎ・・・は、指２が光電式キーの１つを操作する間持続することが明らかである。」と記載されている。
　そして、上記摘記した動作によれば、検出時間ｄｔの遅れがあるにせよ、赤外線受光器によりパルス変調された赤外線の指による乱反射光はウィンドウパルス信号と同期して受光されているから、引用文献１には、次の発明が記載されているということができる。
「ガラス板からなる赤外線透過カバーと、該赤外線透過カバーの下面に設けられ、前記ガラス板に向け赤外線を放射する赤外線送光器と、前記ガラス板上面に指を近接することにより前記赤外線を乱反射させ、該乱反射した赤外線を受光する赤外線受光器と、所定周期のウィンドウパルス信号を出力する矩形波発振器と、前記パルス信号により駆動され、前記赤外線送光器によりパルス変調された赤外線を放射し、前記赤外線受光器により前記パルス変調された赤外線の指による乱反射光を前記ウィンドウパルス信号と同期して受光し、これに基づいて光電信号の検出を示す２進信号を出力する検出回路と、前記２進信号をもとに操作有効信号を出すＤフリップフロップで構成した作動回路とから構成した光電式キーボード装置。」（以下、「引用発明」という。）
　また、同じく原査定の拒絶の理由に引用された、本件出願前公知の特開昭５３−４７９７７号公報（以下、「引用文献２」という。）には、「第１図はこの発明の一実施例であるが、・・・反射形光電スイッチ１・・・投光素子１４と受光素子１６とはケース１１中に並べて収納してある。ケース１１の全面部から当該ケース１１の内部方向にむけて、２個のくぼみ部１３、１５が設けてあり、このくぼみ部１３、１５に前記投光素子１４、受光素子１６がそれぞれ配設してある。・・・前述のくぼみ部１３、１５はそれぞれその内部表面を黒色等に加工して光吸収を良好にしてある。
　上述したように、この発明によれば、くぼみ部１３、１５を設けて光指向性を良好にしたので、特に投光素子１４から投射された光はくぼみ部１３によって光の進行方向が規制され側方向に広がる光は除去されるので、側壁からの反射光の影響をなくすことができる。」（第２頁左下欄第１２行〜同頁右下欄第２０行）と記載されている。
　また、同じく原査定の拒絶の理由に引用された、本件出願前公知の実願平５−１８６３号（実開平６−６００４２号）のＣＤＲＯＭ（以下、「引用文献３」という。）には、
「【実施例】
　以下、本考案を図面に基づいて説明する。
　図１は本考案の反射形光電スイッチの一実施例を示す断面構成図である。
　図１において、丸１の部分が高い反射率を有する部分であり、つまり投光レンズホルダの内側壁に反射率の高い膜がコーティングされている。・・・　このような構成において、投光レンズホルダの内側壁に反射率の高い膜をコーティングした場合、投光素子から出射した光の一部が投光レンズホルダの内側壁にコーティングした反射率の高い膜によって反射される（図中実線）。したがって、反射率の高い膜がコーティングされていない場合（図中点線）に比べて、出射ビームの指向性が広くなり、検出物体を照射する面積が大きくなるため、受光素子に入射してくる光量が増えることになり、不感帯を無くすことができる。」（段落番号【０００６】、【０００７】）と、
「なお、同様に、受光レンズホルダの内側壁に反射率の高い膜をコーティングすることも考えられるが、この場合、投光素子からの光以外の光についても受光素子に入射し易くなるため、外乱に弱くなることになる。」（段落番号【０００９】）と記載されている。
　３．対比
　　そこで、本願発明と引用発明を対比検討してみる。
　引用発明中の「赤外線透過カバー」は明らかにタッチパネルを構成しており、そのため、引用発明中の「光電式キーボード装置」は光センシングタッチパネル装置ということができ、引用発明中の「赤外線送光器」は少なくとも赤外線発光素子を有し、同じく、引用発明中の「赤外線受光器」は少なくとも赤外線受光素子を有し、引用発明中の「ウィンドウパルス信号」はパルス信号であり、引用発明中の「矩形波発信器」は同期のためのタイミングパルス発信器といえるし、引用発明中の「２進信号」は光電信号に基づいて出力される光電信号の検出信号であり、引用発明中の「Ｄフリップフロップ」は２進信号を信号処理して操作有効信号を出力しているから信号処理回路といえ、引用発明中の「作動回路」はその動作から光電スイッチ回路といえる。一方、本願発明中の「コンパレータ」は光電信号の検出を出力する回路であるから検出回路であり、本願発明中の「ゲートを開路する」ことは、それにより（タッチ）操作の有効信号を出すことである。
　したがって、両者は、
　「ガラス板をその構成として含むタッチパネルと、該タッチパネルの下面に設けられ、前記ガラス板に向け赤外線を放射する赤外線発光素子と、前記ガラス板上面に指を近接することにより前記赤外線を乱反射させ、該乱反射した赤外線を受光する赤外線受光素子と、所定周期のパルス信号を出力するタイミングパルス発生回路と、前記パルス信号により駆動され、前記赤外線発光素子によりパルス変調された赤外線を放射し、前記赤外線受光素子により前記パルス変調された赤外線の指による乱反射光を前記パルス信号と同期して受光し、光電信号の検出を出力する検出回路と、前記検出回路からの出力をもとに操作有効信号を出す信号処理回路で構成した光電スイッチ回路とから構成した光センシングタッチパネル装置」
である点で一致し、以下の点で相違する。
・相違点（１）
　本願発明では、タッチパネルの構造に関し、「複数のセンシング窓および表示窓等を有する化粧板をガラス板と赤外線透過フィルタの間に挟んだ」構成としているが、引用発明ではガラス板をその構成としているものの、その余の構成はない。
・相違点（２）
　本願発明では、「赤外線発光素子を収納する内面を赤外線吸収面とした第一の部屋と、該第一の部屋と並置され前記赤外線受光素子を収納する内面を赤外線反射面とした第二の部屋」とする点を構成要素としているが、引用発明にその構成はない。
・相違点（３）
　本願発明では、検出回路として、「赤外線受光素子から出力された光電信号と基準電圧とを比較し、該基準電圧以上のレベルの前記光電信号を出力するコンパレータ」を設けているが、引用発明では、２進信号を出力しているものの、コンパレータを用いているか不明である。
・相違点（４）
　本願発明では、信号処理回路として、「コンパレータの出力を常時閉路し該コンパレータから出力した前記光電信号が所定数入力したとき開路するゲート」を備えているが、引用発明では、そのようになっていない。
・相違点（５）
　本願発明では、「光電信号に基づいて前記センシング窓に対応する情報を前記表示窓に表示する表示部」を有しているが、引用発明では、そのようになっていない。
４．当審の判断
　そこで、これらの相違点について検討する。
・相違点（１）、（５）について
　光センシングタッチパネルにおいて、「複数のセンシング窓を有する化粧板をガラス板と赤外線透過フィルタの間に挟んだ」構成とすることは周知（必要ならば、引用文献１に関して摘記した段落番号【０００３】の記載事項、特開昭６２−１５４８１６号公報第４頁右上欄第１０行〜同頁左下欄第４行等を参照されたい。）であり、また光センシングタッチパネルに「表示窓」を設けて、「光電信号に基づいてセンシング窓に対応する情報を前記表示窓に表示する表示部」を設けることも、周知（必要ならば、実願昭６２−１０２７３３号（実開昭６４−９３３９号）のマイクロフィルム、特開平８−４３１３１号公報、特開平２−９２０１６号公報等を参照されたい。）であるから、これら相違点（１）、（５）に係る本願発明の構成は、周知技術の単なる付加の域を出ない。
・相違点（２）について
　引用文献２、３について摘記した上記事項によれば、そこには、光電式スイッチの構成要素である発光素子や受光素子を、並置された２つの部屋に収納する技術が記載されている。また、引用文献２について摘記した上記事項によれば、光電式スイッチにおいて、発光素子を収納する部屋の内面を発光素子の放射光を吸収するように吸収面とすることが記載されている。また、引用文献３について摘記した上記事項によれば、光電式スイッチにおいて、受光素子を収納する部屋の内面を吸収面としたり反射面とすることも記載されている。さらに、この引用文献３には、受光素子を収納した部屋を吸収面とすれば外乱光に強いこと、逆に反射面とすると入射光量を増加できることも示唆されている。
　したがって、光センシングタッチパネル中の、赤外線発光素子と赤外線受光素子に係る部位は、光電式スイッチということができる以上、「赤外線発光素子を収納する内面を赤外線吸収面とした第一の部屋と、該第一の部屋と並置され前記赤外線受光素子を収納する内面を赤外線反射面とした第二の部屋」とする程度のことは、引用文献２、３記載の技術を適宜参酌することにより容易になしうることと認められる。
・相違点（３）について
　光電信号の検出において、受光素子から出力された光電信号と基準電圧とを比較し、該基準電圧以上のレベルの前記光電信号を出力するコンパレータを用いることは、雑音の影響等を除去する手法として、周知（必要ならば、原審の拒絶の理由で引用されている、特開昭６０−８４０１３号公報第２頁右下欄第２０行〜第３頁左上欄第３行、特開平８−８８５４８号公報段落番号【０００２】等を参照されたい。）であるから、引用発明中の検出回路において、このようなコンパレータを用いる程度のことは、単なる設計的事項である。
・相違点（４）について
　光電信号の検出において、一回の光電信号の検出のみで、光電信号を検出したと判定すると、必要な検出信頼性や確度が得られない場合、光電信号を所定回数検出して、検出信頼性や確度を上げることは、常套手段（必要ならば、原審の拒絶の理由で引用されている、特開昭６０−８４０１３号公報第３頁左下欄第２０行〜同頁右上欄第２行、特開平６−３５０４２８号公報段落番号【０００３】等を参照されたい。）である。また、出力回路において、ゲートを開路することによって、出力することは、いうまでもなく周知である。したがって、上記相違点（４）に係る本願発明の構成は、単なる周知技術の付加にすぎない。
５．むすび
　以上のとおりであるから、本願の請求項１に係る発明は、引用文献記載の発明および周知技術から当業者が容易に発明をすることができたものと認められ、特許法第２９条第２項の規定により特許を受けることができない。
　そして、本願の特許請求の範囲の請求項１に係る発明について特許を受けることができないものである以上、他の請求項に係る発明について検討するまでもなく本願は拒絶されるべきものである。
　よって、結論のとおり審決する。